(57)【要約】【課題】携帯電話機によって、一つのスケジュールを実行するための予定時刻が達したことを携帯者に容易に報知させることができるようにする。【解決手段】各種の色彩で発光可能としたＬＥＤ素子または電球または液晶表示ランプのいずれかによる発光手段３と、発光手段３に電流を出力開始する時間を設定し、報知設定時刻に至った時に、発光手段３に電流を出力するタイマースイッチ手段４とを備えて成る光報知器１を、携帯電話機Ｐに搭載する。【選択図】図１
2007189479.tif 000002
【特許請求の範囲】
【請求項１】
各種の色彩で発光可能としたＬＥＤ素子または電球または液晶表示ランプのいずれかによる発光手段と、発光手段に電流を出力開始する時間を設定し、報知設定時刻に至った時に、発光手段に電流を出力させるタイマースイッチ手段とを備えて成る光報知器を、携帯電話機に搭載して成ることを特徴とする携帯電話機を利用した光報知システム。
【請求項２】
タイマースイッチ手段は、発光手段に電流を流す電流出力回路部と、電流を出力開始する時間を設定するよう利用者が所望の時刻に設定可能としたＯＮ−ＯＦＦスイッチを備えたタイマー回路部と、該タイマー手段から報知設定時刻に対応したタイムアップ信号が出力されたときに電流出力回路部の動作を制御して発光手段に電流を出力させる出力制御回路部とを備えて成る請求項１記載の携帯電話機を利用した光報知システム。
【請求項３】
赤外線信号もしくはラジオ波電波信号を発信させる発信部と、発信部を発信作動させるための出力を開始する時間を設定し、報知設定時刻に至った時に、発信部を発信出力作動させるタイマースイッチ手段とを備えて成る発信装置を携帯電話機に搭載すると共に、電源と、各種の色彩で発光可能としたＬＥＤ素子または電球または液晶表示ランプのいずれかによる発光手段と、前記携帯電話機の発信部からの信号を受けて発光手段を発光させる受信装置とを、ペンダント、指輪、ブレスレット、ブローチ、バッジ等のアクセサリー、もしくは時計のいずれかの装身具に搭載して成ることを特徴とする携帯電話機を利用した光報知システム。
【請求項４】
前記受信装置は、赤外線もしくは電波の受信によって作動する非接触型ＩＤタグを利用した請求項３記載の携帯電話機を利用した光報知システム。
【請求項５】
前記発光手段は、複数の報知内容の種類に応じて光の色合いを変更可能とした請求項１乃至４のいずれかに記載の携帯電話機を利用した光報知システム。
【発明の詳細な説明】
【技術分野】
【０００１】
本発明は、種々のスケジュールを実行するための予定時刻が達したことを光形態によって報知させることを可能とした携帯電話機を利用した光報知システムに関する。
【背景技術】
【０００２】
従来、種々のスケジュールを実行するための予定時刻に至ったことを利用者に確実に報知する場合には、電子音やブザー音を使った種々の音響報知システムが存在する。
【０００３】
また、従来では、例えば特許文献１に開示されているように、携帯電話機の通信開始信号をスタートとして通話時間をカウントするタイマー回路のカウント値を、予め設定した告知時間と比較し、該告知時間に対応して、携帯電話機に付設された発光体を出力させることで、通話者に通話時間を視覚的に告知する技術が存在する。
【特許文献１】特開２００３−２５００１４号公報
【発明の開示】
【発明が解決しようとする課題】
【０００４】
しかしながら、従来における電子音やブザー音による音響報知システムでは、単独での面白みや楽しみ等の付加価値を与えることができない。
【０００５】
また、従来の前記した特許文献１による技術では、携帯電話機の使用中に通話者に対し通話時間を視覚的に告知するだけの構成であり、携帯電話機を使用していない状態で、携帯者に対し、種々のスケジュールを実行するための予定時刻が達したことを光形態によって報知させることができないものである。
【０００６】
そこで、本発明は、叙上のような従来存した諸事情に鑑み創出されたもので、携帯電話機によって、一つのスケジュールを実行するための予定時刻が達したことを携帯者に容易に報知させることができ、さらに従来の電子音やブザー音等による音響形態による報知システムでは得られない面白みや楽しみを十分に与えることができる携帯電話機を利用した光報知システムを提供することを目的とする。
【課題を解決するための手段】
【０００７】
上述した課題を解決するため、本発明にあっては、各種の色彩で発光可能としたＬＥＤ素子または電球または液晶表示ランプのいずれかによる発光手段と、発光手段に電流を出力開始する時間を設定し、報知設定時刻に至った時に、発光手段に電流を出力させるタイマースイッチ手段とを備えて成る光報知器を、携帯電話機に搭載して成ることを特徴とする。
【０００８】
タイマースイッチ手段は、発光手段に電流を流す電流出力回路部と、電流を出力開始する時間を設定するよう利用者が所望の時刻に設定可能としたＯＮ−ＯＦＦスイッチを備えたタイマー回路部と、該タイマー手段から報知設定時刻に対応したタイムアップ信号が出力されたときに電流出力回路部の動作を制御して発光手段に電流を出力させる出力制御回路部とを備えて成る。
【０００９】
赤外線信号もしくはラジオ波電波信号を発信させる発信部と、発信部を発信作動させるための出力を開始する時間を設定し、報知設定時刻に至った時に、発信部を発信出力作動させるタイマースイッチ手段とを備えて成る発信装置を携帯電話機に搭載すると共に、電源と、各種の色彩で発光可能としたＬＥＤ素子または電球または液晶表示ランプのいずれかによる発光手段と、前記携帯電話機の発信部からの信号を受けて発光手段を発光させる受信装置とを、ペンダント、指輪、ブレスレット、ブローチ、バッジ等のアクセサリー、もしくは時計のいずれかの装身具に搭載して成ることを特徴とする。
【００１０】
前記受信装置は、赤外線もしくは電波の受信によって作動する非接触型ＩＤタグを利用して成る。
【００１１】
前記発光手段は、複数の報知内容の種類に応じて光の色合いを変更可能として成る。
【発明の効果】
【００１２】
本発明によれば、携帯電話機によって、一つのスケジュールを実行するための予定時刻が達したことを携帯者に容易に報知させることができ、さらに従来の電子音やブザー音等による音響形態による報知システムでは得られない面白みや楽しみ等を十分に与えることができる。
【００１３】
すなわち、本発明に係る携帯電話機を利用した光報知システムは、各種の色彩で発光可能としたＬＥＤ素子または電球または液晶表示ランプのいずれかによる発光手段と、発光手段に電流を出力開始する時間を設定し、報知設定時刻に至った時に、発光手段に電流を出力させるタイマースイッチ手段とを備えて成る光報知器を、携帯電話機に搭載して成るので、１日の種々のスケジュールのうちの一つのスケジュールを実行するための予め設定された時刻に至ったことを携帯電話機から発する光によって携帯者に確実に報知することができる。例えば、おやつを食べる時間、食事をする時間、塾に通う時間、希望のテレビ番組を見る時間、学校へ行く時間、ピアノを練習する時間、相手先に電話を掛ける時間等の予定時刻に達したことを光によって携帯者側に容易に報知させることができる。
【００１４】
このタイマースイッチ手段は、発光手段に電流を流す電流出力回路部と、電流を出力開始する時間を設定するよう利用者が所望の時刻に設定可能としたＯＮ−ＯＦＦスイッチを備えたタイマー回路部と、該タイマー手段から報知設定時刻に対応したタイムアップ信号が出力されたときに電流出力回路部の動作を制御して発光手段に電流を出力させる出力制御回路部とを備えて成るので、低コストで確実なタイマースイッチを携帯電話機に備えた光報知システムが得られる。しかも、タイマー回路部には、携帯者が所望の時刻に設定可能としたＯＮ−ＯＦＦスイッチを備えたので、所定の時刻設定が簡単且つ迅速に行える。
【００１５】
また、赤外線信号もしくはラジオ波電波信号を発信させる発信部と、発信部を発信作動させるための出力を開始する時間を設定し、報知設定時刻に至った時に、発信部を発信出力作動させるタイマースイッチ手段とを備えて成る発信装置を携帯電話機に搭載すると共に、電源と、各種の色彩で発光可能としたＬＥＤ素子または電球または液晶表示ランプのいずれかによる発光手段と、前記携帯電話機の発信部からの信号を受けて発光手段を発光させる受信装置とを、ペンダント、指輪、ブレスレット、ブローチ、バッジ等のアクセサリー、もしくは時計のいずれかの装身具に搭載して成るので、不使用状態の携帯電話機をバッグ・カバンや衣服のポケット等に入れられていても、身に付けた種々の装身具の発光によって、予定設定時刻に至ったことを携帯者に確実に報知することができる。
【００１６】
前記受信装置は、赤外線もしくはラジオ波の受信によって作動する非接触型ＩＤタグを利用したので、携帯電話機の発信部からの予定時刻に発信する遠隔信号によって、発光手段を容易に発光させることができる。また、非接触型ＩＤタグを電源不要のパッシブ型とし、電波や電磁誘導を媒体として携帯電話機側から電力を取り込むことで、発光手段の電源を不要とすることができる。
【００１７】
前記発光手段は、複数の報知内容の種類に応じて光の色合いを変更可能としたので、光報知に付随して種々の光の演出をかなでることができ、従来のブザー音による報知システムでは得られない光アート的または電飾的な子供用電飾玩具と同じ面白みや楽しみ等を十分に与えることができる。
【発明を実施するための最良の形態】
【００１８】
以下、図面を参照して本発明を実施するための最良の一形態を説明すると、図において示される符号１は、本発明に係る光報知システムを構成する備えた光報知器であり、該光報知器１は、図１に示すように、携帯電話機Ｐの下縁部にあるインターフェースＲに接続可能となるよう、発光手段３、タイマースイッチ手段４それぞれを内蔵した外付けタイプの例えばスロットカード型に形成されている。電源２としては、携帯電話機Ｐに内蔵されてる充電用バッテリーを使用する。
【００１９】
尚、光報知器１を、スロットカード型の外付けタイプとする替わりに、製造段階において携帯電話機Ｐ自体に光報知器１を内蔵させても良い。この場合には、所定のプロトコルに従って携帯電話機Ｐのキーで当該携帯電話機Ｐの表示部を見ながら設定操作できるようにする。
【００２０】
この光報知器１は、例えばＬＥＤ素子、豆ランプ等の電球、液晶表示ランプのいずれかによる発光手段３を備え、タイマースイッチ手段４によって、報知設定時刻に至った時に、発光手段３に電流を出力させて発光させるものとしてある。
【００２１】
また、光報知器１には、携帯者が所望の時刻に設定できるようＯＮ−ＯＦＦスイッチ（８，９，１０）と、例えば７セグメントＬＥＤもしくは液晶表示等の表示手段１１とがそれぞれ配置され、タイマー回路６による時間の設定操作を容易に確認できるようにしてある。
【００２２】
前記発光手段３は、報知の種類に応じて光の色合いを例えば青やピンク等のように任意に変更できるようにしてある。また、発光手段３として例えば２種類以上の態様で発光する発光体を設け、この発光体による各種の色の発光をタイムリーに行なっても良い。尚、この発光手段３に、音による報知手段（不図示）を併用するようにしても良い。
【００２３】
次に、光報知器１の具体的な構成の一例について説明する。
光報知器１は、図２に示すように、発光手段３、タイマースイッチ手段４、表示手段１１それぞれによって概ね構成されている。このタイマースイッチ手段４は、発光手段３に携帯電話機Ｐの電源２からの電流を出力開始する時間を設定し、報知設定時刻に至った時に、電源２から発光手段３に電流を出力させるものである。
【００２４】
このタイマースイッチ手段４は、発光手段３に携帯電話機Ｐの電源２からの電流を流すための電流出力回路部５と、電流を出力開始する時間を設定するためのタイマー回路部６と、タイマー回路部６から報知設定時刻に対応したタイムアップ信号が出力されたときに電流出力回路部５の動作を制御して電源２から発光手段３に電流を出力させるための出力制御回路部７とから構成されている。
【００２５】
また、このタイマー回路部６には、携帯者が所望の時刻に設定できるようＯＮ−ＯＦＦスイッチ構造による、例えば、現在時間設定用ボタン８、電流出力時間設定用ボタン９、リセットボタン１０等が接続され、これら時間の設定操作を容易に確認できるようタイマー回路６に例えば液晶タイプの表示手段１１を備えている。
【００２６】
タイマー回路部６としては、例えば分秒カウントアウト検出回路、ＮＡＮＤゲートＳＲタイプフリップフロップを用いたスタートストップ制御回路、ＮＥ５５５−１秒クロック発振器、クロックゲート回路、ドライブ回路、リレー駆動回路等の周知の回路機構を採用しても良い。尚、本発明は、これらの回路機構に何等限定されるものではない。また、このタイマースイッチ手段４の全体構成は、本発明を具現化するためのほんの一例に過ぎず、これに限定されずに他の回路形式を採用しても良いことは勿論である。
【００２７】
次に、以上のように構成された最良の形態についての使用、動作の一例について説明する。
先ず、図１に示すように、携帯電話機Ｐの下縁部にあるインターフェースＲに光報知器１を接続しておく。
【００２８】
そして、リセットボタン１０の操作で光報知器１をリセット状態にしてから、表示手段１１を見ながら現在時間設定用ボタン８の設定操作と、電流出力時間設定用ボタン９の設定操作を行なう。
【００２９】
予定時刻に至ると、図２に示すように、光報知器１のタイマー回路部６から報知設定時刻に対応したタイムアップ信号が出力されて出力制御回路部７が作動し、この出力制御回路部７で電流出力回路部５の動作を制御して電源２から発光手段３に電流が出力して発光する。これにより、１日の種々のスケジュールのうちの一つのスケジュールを実行するための予め設定された時刻に至ったことを携帯電話機Ｐに取り付けた光報知器１から発する光によって携帯者に確実に報知される。
【００３０】
また、種々のスケジュールの種類に応じて光の色合いを変更してあるため、発光する発光手段３の色感覚でもって各種の報知内容が識別できるのである。
【００３１】
図３、図４には、本発明に係る光報知システムの他の形態例が示されている。すなわち、図３に示すように、本形態における光報知システムとしては、携帯電話機Ｐの下縁部にあるインターフェースＲに接続される外付けタイプの例えばスロットカード型の周波数発信装置２１を備えている。
【００３２】
この周波数発信装置２１には、図４に示すように、赤外線信号もしくはラジオ波電波信号を発信させるための発信部２２と、該発信部２２を発信作動させるための出力を開始する時間を設定し、報知設定時刻に至った時に、発信部２２を発信出力作動させる前記したタイマースイッチ手段４とが内蔵されている。
【００３３】
タイマースイッチ手段４は、発信部２２を発信出力作動させるための電流出力回路部５と、電流を出力開始する時間を設定するためのタイマー回路部６と、タイマー回路部６から報知設定時刻に対応したタイムアップ信号が出力されたときに電流出力回路部５の動作を制御して発信部２２を発信出力作動させるための出力制御回路部７とから構成されている。
【００３４】
また、このタイマー回路部６には、携帯者が所望の時刻に設定できるようＯＮ−ＯＦＦスイッチ構造による、例えば、現在時間設定用ボタン８、電流出力時間設定用ボタン９、リセットボタン１０等が接続され、これら時間の設定操作を容易に確認できるようタイマー回路６に例えば液晶タイプの表示手段１１を備えている。
【００３５】
尚、光報知システムを、スロットカード型の外付けタイプの周波数発信装置２１とする替わりに、製造段階において携帯電話機Ｐ自体に周波数発信装置２１を内蔵させても良いことは勿論である。この場合には、所定のプロトコルに従って携帯電話機Ｐのキーで当該携帯電話機Ｐの表示部を見ながら設定操作できるようにすることができる。
【００３６】
そして、電源２と、各種の色彩で発光可能としたＬＥＤ素子または電球または液晶表示ランプのいずれかによる発光手段３と、前記携帯電話機Ｐに取り付けた周波数発信装置２１の発信部２２からの信号を受けて発光手段３を発光させるための、例えば赤外線もしくは電波の受信によって作動する非接触型ＩＤタグを利用した周波数受信装置２３を、例えばペンダント、指輪、ブレスレット、ブローチ、バッジ等のアクセサリー、もしくは時計のいずれかの装身具Ｓに搭載してある（図３参照）。
【００３７】
このとき、非接触型ＩＤタグを電源不要のパッシブ型としておくことで、電波や電磁誘導を媒体として携帯電話機Ｐ側から電力を取り込むことができ、これによって発光手段３の電源２を不要とすることができる。
【００３８】
次に、以上のように構成された他の形態例についての使用、動作の一例について説明する。
先ず、図３に示すように、携帯電話機Ｐの下縁部にあるインターフェースＲに周波数発信装置２１を接続しておく。
【００３９】
そして、リセットボタン１０の操作で周波数発信装置２１をリセット状態にしてから、表示手段１１を見ながら現在時間設定用ボタン８の設定操作と、電流出力時間設定用ボタン９の設定操作を行ない、携帯電話機Ｐをバッグ・カバンあるいは衣服のポケット等に入れておく。
【００４０】
そして、図４に示すように、予定時刻に至ると周波数発信装置２１のタイマー回路部６から報知設定時刻に対応したタイムアップ信号が出力されて出力制御回路部７が作動し、この出力制御回路部７で電流出力回路部５の動作を制御して発信部２２から赤外線信号もしくはラジオ波電波信号が発信される。
【００４１】
一方、発信部２２から発信された赤外線信号もしくはラジオ波電波信号は、装身具Ｓに搭載してある周波数受信装置２３によって受信され、電源２から発光手段３に電流が出力して発光する。これにより、１日の種々のスケジュールのうちの一つのスケジュールを実行するための予め設定された時刻に至ったことを、携帯電話機Ｐからの遠隔信号を介しての装身具Ｓから発する光によって携帯者に確実に報知される。
【図面の簡単な説明】
【００４２】
【図１】本発明を実施するための最良の形態における光報知システムの使用状態を示す斜視図である。
【図２】同じく光報知器の回路ブロックの一例を示す構成図である。
【図３】本発明を実施する他の形態例における光報知システムの使用状態を示す斜視図である。
【図４】同じく他の形態例における光報知器の回路ブロックの構成図である。
【符号の説明】
【００４３】
Ｐ    携帯電話機
Ｒ    インターフェース
Ｓ    装身具
１    光報知器
２    電源
３    発光手段
４    タイマースイッチ手段
５    電流出力回路部
６    タイマー回路部
７    出力制御回路部
８    現在時間設定用ボタン
９    電流出力時間設定ボタン
１０  リセットボタン
１１  表示手段
２１  周波数発信装置
２２  発信部
２３  周波数受信装置
【図１】
2007189479.tif 000003
【図２】
2007189479.tif 000004
【図３】
2007189479.tif 000005
【図４】
2007189479.tif 000006